(57)【要約】【課題】載置したスクリーン等の物品を注視する時に、ユーザーの顔部までの距離を適切に維持して、目を過度に使用することによる疲労を防止できる物品載置台の提供。【解決手段】基台２と、基台２の上に前後に移動可能に設置された移動式プラットフォーム１と、移動式プラットフォーム１に装着された距離計９及びラック４と、基台２にそれぞれ装着され、ラック４と噛み合うピニオン６及びピニオン６を回転させるモーター５と、モーター５の回転を制御する制御モジュール７を備え、距離計９は、移動式プラットフォーム１の前方に位置するユーザーの顔部までの距離を計測して、その計測距離を制御モジュール７に送信し、制御モジュール７は、計測距離と予め設定されている設定距離とを比較し、両者が異なる場合にモーター５を駆動して、計測距離が設定距離と一致するよう前後いずれかの方向へ移動式プラットフォーム１を移動させる。【選択図】図１
0003167286.tif 000002
【実用新案登録請求の範囲】
【請求項１】
基台と、該基台の上に前後方向に移動可能に設置された移動式プラットフォームと、前記移動式プラットフォームに装着された前後方向に延びるラックと、前記基台にそれぞれ装着され、前記ラックと噛み合うピニオン及び該ピニオンを回転させるモーターと、該モーターの回転を制御する制御モジュールと、前記移動式プラットフォームに設置され、前記移動式プラットフォームの前方に位置するユーザーの顔部までの距離を計測して、その計測距離を前記制御モジュールに送信する距離計とを備え、前記制御モジュールは、計測距離と予め設定されている設定距離とを比較し、両者が異なる場合に前記モーターを駆動して、計測距離が設定距離と一致するよう前後いずれかの方向へ前記移動式プラットフォームを移動させるものであることを特徴とする、物品載置台。
【請求項２】
前記基台は、テーブル面に固定可能であることを特徴とする、請求項１に記載の物品載置台。
【請求項３】
前記移動式プラットフォームにスクリーンを固定可能であることを特徴とする、請求項１に物品載置台。
【請求項４】
前記制御モジュールに設定される設定距離が変更可能であることを特徴とする、請求項１に記載の物品載置台。
【考案の詳細な説明】
【技術分野】
【０００１】
本考案は、ディスプレイ又はノートパソコンのスクリーン等を載せるために用いる物品載置台に関する。
【背景技術】
【０００２】
ユーザーが長時間に亘ってディスプレイのスクリーン又はノートパソコンのスクリーンを観覧する際に、スクリーンまでの距離が遠すぎたり或いは近すぎると、眼精疲労を起こしやすい。
しかし、現在では、このような眼精疲労を防ぐために有効な解決策は無く、ユーザーが顔を動かしてスクリーンと目との距離を調節したり、作業時間を短縮するなどして自分で気をつけるしかなかった。
【考案の概要】
【考案が解決しようとする課題】
【０００３】
本考案が解決しようとする課題は、載置したスクリーン等の物品を注視する時に、ユーザーの顔部までの距離を自動的に適切に維持し、これにより、目を過度に使用することによって生ずる疲労を防止できる物品載置台を提供することにある。
【課題を解決するための手段】
【０００４】
本考案の物品載置台は、基台と、該基台の上に前後方向に移動可能に設置された移動式プラットフォームと、前記移動式プラットフォームに装着された前後方向に延びるラックと、前記基台にそれぞれ装着され、前記ラックと噛み合うピニオン及び該ピニオンを回転させるモーターと、該モーターの回転を制御する制御モジュールと、前記移動式プラットフォームに設置され、前記移動式プラットフォームの前方に位置するユーザーの顔部までの距離を計測して、その計測距離を前記制御モジュールに送信する距離計とを備え、前記制御モジュールは、計測距離と予め設定されている設定距離とを比較し、両者が異なる場合に前記モーターを駆動して、計測距離が設定距離と一致するよう前後いずれかの方向へ前記移動式プラットフォームを移動させるものであることを特徴とする。
【０００５】
前記基台を、テーブル面に固定可能とすると良い。
前記移動式プラットフォームにスクリーンを固定可能としてもよい。
前記制御モジュールに設定される設定距離は変更可能とするのが望ましい。
【考案の効果】
【０００６】
本考案によれば、物品が載置されている移動式プラットフォームとユーザーの顔部との距離を、ユーザーの視力等に応じて予め設定されている距離に自動的に修正して維持することができるので、適正ではない距離で物品を凝視し続けることによる目の疲れや、無理な姿勢を継続することによる首や肩の疲れを防止することができる。
【図面の簡単な説明】
【０００７】
【図１】本考案の実施例を示す物品載置台の斜視図である。
【図２】本考案の実施例を示す物品載置台の使用状態における斜視図である。
【考案を実施するための形態】
【０００８】
以下、本考案の実施例を図面に基づいて詳細に説明する。
本考案の物品載置台は、図１及び図２に示すように、移動式プラットフォーム１，基台２，ガイドレール３，ラック４，モーター５，ピニオン６，制御モジュール７，信号線８，距離計９及び電源線１０を備える。
移動式プラットフォーム１は、前後方向に延びるガイドレール３を介して基台２の上面にスライド可能に結合されている。
また、移動式プラットフォーム１の下面にはラック４が前後方向に沿って装着され、移動式プラットフォーム１の上面には、移動式プラットフォーム１の前方に位置するユーザーの顔面までの距離を計測する距離計９が設置されている。
【０００９】
基台２には、ラック４と噛み合うピニオン６、出力軸にピニオン６が連結されたモーター５、及び、モーター５の回転を制御する制御モジュール７が設置されている。
従って、制御モジュール７がモーター５を正逆に回転させると、ピニオン６が正逆に回転してピニオン６に噛合したラック４が前後に移動し、この結果、移動式プラットフォーム１がガイドレール３に沿って前後に移動する。
また、制御モジュール７は信号線８によって距離計９に接続され、距離計９で計測した距離が制御モジュール７に送信されるようになっている。
なお、制御モジュール７、モーター５及び距離計９には、電源線１０によって給電される。
【００１０】
距離計９が計測したユーザーの顔面までの距離は、信号線８を介して制御モジュール７に送信される。
制御モジュール７は、距離計９から送られた計測距離と予め設定されている設定距離とを比較し、計測距離と設定距離とが相違している場合はモーター５を駆動して、距離計９からユーザー顔面までの距離（計測距離）が設定距離と一致するよう移動式プラットフォーム１を前後いずれかの方向に移動させる。
即ち、距離計９の計測した距離が設定距離よりも長い場合は、移動式プラットフォーム１がユーザーに接近する方向にモーター５を駆動させ、計測した距離が設定距離よりも短い場合は、移動式プラットフォーム１がユーザーから遠ざかる方向にモーター５を駆動させて、計測距離と設定距離とを一致させる。
【００１１】
なお、制御モジュール７に設定される距離は、ユーザーの視力の変化等に応じて自由に変更することができる。
また、実際に使用する際には、図２に示すように、基台２は、テーブル面１２に固定することが出来、移動式プラットフォーム１の上には、スクリーン１１を固定することが出来る。
【００１２】
本考案は、上記した実施例に限定されるものではない。例えば、移動式プラットフォーム１上に載置される物品は、数字表示部を有する操作盤、書物や書類を載せる書見台等であってもよい。
【符号の説明】
【００１３】
１  移動式プラットフォーム
２  基台
３  ガイドレール
４  ラック
５  モーター
６  ピニオン
７  制御モジュール 
８  信号線
９  距離計
１０  電源線
１１  スクリーン
１２  テーブル面 
【図１】
0003167286.tif 000003
【図２】
0003167286.tif 000004